(57)【要約】  表示面に画像が表示されるディスプレイとディスプレイを外周側から保持し被取付突部が設けられたベゼルとを有する前側ユニットと、ディスプレイにおける表示面の反対の面側に配置されるバックシャーシとバックシャーシのディスプレイ側の面に取り付けられ取付突部が設けられた取付フレームとを有する後側ユニットとを備え、前側ユニットを後側ユニットに突き合わせ前側ユニットを後側ユニットに対して表示面の面方向へスライドさせることにより被取付突部が取付突部に係合されて前側ユニットと後側ユニットが結合されるようにした。
2014091978.tif 000002
【特許請求の範囲】
【請求項１】
表示面に画像が表示されるディスプレイと前記ディスプレイを外周側から保持し被取付突部が設けられたベゼルとを有する前側ユニットと、
前記ディスプレイにおける前記表示面の反対の面側に配置されるバックシャーシと前記バックシャーシの前記ディスプレイ側の面に取り付けられ取付突部が設けられた取付フレームとを有する後側ユニットとを備え、
前記前側ユニットを前記後側ユニットに突き合わせ前記前側ユニットを前記後側ユニットに対して前記表示面の面方向へスライドさせることにより前記被取付突部が前記取付突部に係合されて前記前側ユニットと前記後側ユニットが結合されるようにした
表示装置。
【請求項２】
前記ベゼルが弾性変形可能とされ、
前記ベゼルに係止突部が設けられ、
前記取付フレームに脱落防止突部が設けられ、
前記前側ユニットが前記後側ユニットに対してスライドされたときに、前記係止突部が前記脱落防止突部に摺動されて前記ベゼルが弾性変形され、前記係止突部が前記脱落防止突部を乗り越えることにより前記ベゼルが弾性復帰されて前記係止突部が前記脱落防止突部に係止されるようにした
請求項１に記載の表示装置。
【請求項３】
前記ディスプレイに入射されるバックライトとしての光を出射する光源が設けられ、
前記バックシャーシと前記ディスプレイの間に前記光源から出射された光を制御する光制御板が配置され、
前記バックシャーシに保持部材が取り付けられ、
前記保持部材に、前記バックシャーシに取り付けられたベース部と前記ベース部に連続され弾性変形可能な保持部とが設けられ、
前記光制御板の少なくとも一部が前記保持部に保持され温度変化による前記光制御板の膨張又は収縮に応じて前記保持部が弾性変形されるようにした
請求項１に記載の表示装置。
【請求項４】
前記光制御板の一部の角部が前記光制御板の面方向において受けられる受け部材が設けられ、
前記光制御板の他の角部が前記保持部に保持された
請求項３に記載の表示装置。
【請求項５】
前記ディスプレイに入射されるバックライトとしての光を出射する光源を有する光源ユニットが設けられ、
前記バックシャーシに取り付けられ前記光源の駆動時に発生する熱を放出する放熱部材が設けられ、
前記放熱部材に前記光源ユニットが配置され、
前記取付フレームに前記放熱部材の位置決めを行う位置決め部が設けられた
請求項１に記載の表示装置。
【請求項６】
前記ディスプレイと前記バックシャーシの間に光学シートを有し挿入孔が形成された光学体が配置され、
前記取付フレームに係合される第１の係合突部と前記挿入孔に挿入される第２の係合突部とを有するシート保持部材が設けられ、
前記第２の係合突部が前記挿入孔に挿入された状態で前記第１の係合突部と前記第２の係合突部が前記取付フレームに係合されて前記シート保持部材が前記取付フレームに結合され前記光学体が保持されるようにした
請求項１に記載の表示装置。
【請求項７】
前記シート保持部材に前記光学体を押さえて前記取付フレームに押し付ける押さえ面部が設けられた
請求項６に記載の表示装置。
【発明の詳細な説明】
【技術分野】
【０００１】
本技術は、表示装置についての技術分野に関する。詳しくは、ディスプレイとバックシャーシを有する薄型の表示装置についての技術分野に関する。
【先行技術文献】
【特許文献】
【０００２】
【特許文献１】特開２００７−３３４２４４号公報
【背景技術】
【０００３】
テレビジョン受像器やパーソナルコンピューター等の表示装置には、画像が表示される表示面を有するディスプレイが設けられ、ディスプレイの背面側にバックシャーシが配置され、ディスプレイが枠状のベゼルに外周側から保持されたものがある（例えば、特許文献１参照）。【０００４】
特許文献１に記載された表示装置にあっては、ディスプレイを外周側から保持するベゼルが前後方向を向く板状に形成され、ベゼルの後面にディスプレイが取り付けられ、ディスプレイの後面側にバックシャーシが配置されて構成されている。
【発明の概要】
【０００５】
ところが、特許文献１に記載された表示装置にあっては、枠状のベゼルが前後方向を向く板状に形成されており、ベゼルをバックシャーシ等の他の部材に接着等の手段によって取り付けるようにしていたので、ベゼルの取付作業に手間がかかり、表示装置の組立作業における作業性の低下を来たすと言う問題がある。
【０００６】
そこで、組立作業における作業性の向上を図ることが望ましい。
【０００７】
第１に、本技術の一実施の形態に係る表示装置は、表示面に画像が表示されるディスプレイと前記ディスプレイを外周側から保持し被取付突部が設けられたベゼルとを有する前側ユニットと、前記ディスプレイにおける前記表示面の反対の面側に配置されるバックシャーシと前記バックシャーシの前記ディスプレイ側の面に取り付けられ取付突部が設けられた取付フレームとを有する後側ユニットとを備え、前記前側ユニットを前記後側ユニットに突き合わせ前記前側ユニットを前記後側ユニットに対して前記表示面の面方向へスライドさせることにより前記被取付突部が前記取付突部に係合されて前記前側ユニットと前記後側ユニットが結合されるようにしたものである。
【０００８】
従って、本技術の一実施の形態に係る表示装置にあっては、前側ユニットの後側ユニットに対するスライド作業により前側ユニットと後側ユニットが結合される。
【０００９】
第２に、上記した本技術の一実施の形態に係る表示装置においては、前記ベゼルが弾性変形可能とされ、前記ベゼルに係止突部が設けられ、前記取付フレームに脱落防止突部が設けられ、前記前側ユニットが前記後側ユニットに対してスライドされたときに、前記係止突部が前記脱落防止突部に摺動されて前記ベゼルが弾性変形され、前記係止突部が前記脱落防止突部を乗り越えることにより前記ベゼルが弾性復帰されて前記係止突部が前記脱落防止突部に係止されることが望ましい。
【００１０】
前側ユニットが後側ユニットに対してスライドされたときに、係止突部が脱落防止突部に摺動されてベゼルが弾性変形され、係止突部が脱落防止突部を乗り越えることによりベゼルが弾性復帰されて係止突部が脱落防止突部に係止されることにより、前側ユニットのスライドと同時に係止突部が脱落防止突部に係止される。
【００１１】
第３に、上記した本技術の一実施の形態に係る表示装置においては、前記ディスプレイに入射されるバックライトとしての光を出射する光源が設けられ、前記バックシャーシと前記ディスプレイの間に前記光源から出射された光を制御する光制御板が配置され、前記バックシャーシに保持部材が取り付けられ、前記保持部材に、前記バックシャーシに取り付けられたベース部と前記ベース部に連続され弾性変形可能な保持部とが設けられ、前記光制御板の少なくとも一部が前記保持部に保持され温度変化による前記光制御板の膨張又は収縮に応じて前記保持部が弾性変形されることが望ましい。
【００１２】
保持部材に、バックシャーシに取り付けられたベース部とベース部に連続され弾性変形可能な保持部とが設けられ、光制御板の少なくとも一部が保持部に保持され温度変化による光制御板の膨張又は収縮に応じて保持部が弾性変形されることにより、光制御板に対して温度変化によって生じる膨張又は収縮に伴う負荷が付与されない。
【００１３】
第４に、上記した本技術の一実施の形態に係る表示装置においては、前記光制御板の一部の角部が前記光制御板の面方向において受けられる受け部材が設けられ、前記光制御板の他の角部が前記保持部に保持されることが望ましい。
【００１４】
光制御板の一部の角部が光制御板の面方向において受けられる受け部材が設けられ、光制御板の他の角部が保持部に保持されることにより、受け部材が基準位置とされて光制御板の膨張又は収縮が生じる。
【００１５】
第５に、上記した本技術の一実施の形態に係る表示装置においては、前記ディスプレイに入射されるバックライトとしての光を出射する光源を有する光源ユニットが設けられ、前記バックシャーシに取り付けられ前記光源の駆動時に発生する熱を放出する放熱部材が設けられ、前記放熱部材に前記光源ユニットが配置され、前記取付フレームに前記放熱部材の位置決めを行う位置決め部が設けられることが望ましい。
【００１６】
放熱部材に光源ユニットが配置され、取付フレームに放熱部材の位置決めを行う位置決め部が設けられることにより、取付フレームによって光源の所定の方向における位置が定められる。
【００１７】
第６に、上記した本技術の一実施の形態に係る表示装置においては、前記ディスプレイと前記バックシャーシの間に光学シートを有し挿入孔が形成された光学体が配置され、前記取付フレームに係合される第１の係合突部と前記挿入孔に挿入される第２の係合突部とを有するシート保持部材が設けられ、前記第２の係合突部が前記挿入孔に挿入された状態で前記第１の係合突部と前記第２の係合突部が前記取付フレームに係合されて前記シート保持部材が前記取付フレームに結合され前記光学体が保持されることが望ましい。
【００１８】
第２の係合突部が挿入孔に挿入された状態で第１の係合突部と第２の係合突部が取付フレームに係合されてシート保持部材が取付フレームに結合され光学体が保持されることにより、シート保持部材が取付フレームに結合されることにより光学体が保持される。
【００１９】
第７に、上記した本技術の一実施の形態に係る表示装置においては、前記シート保持部材に前記光学体を押さえて前記取付フレームに押し付ける押さえ面部が設けられることが望ましい。
【００２０】
シート保持部材に光学体を押さえて取付フレームに押し付ける押さえ面部が設けられることにより、シート保持部材が取付フレームに結合されたときに、同時に光学体が押さえ面部によって取付フレームに押し付けられる。
【００２１】
本技術の一実施の形態に係る表示装置は、表示面に画像が表示されるディスプレイと前記ディスプレイを外周側から保持し被取付突部が設けられたベゼルとを有する前側ユニットと、前記ディスプレイにおける前記表示面の反対の面側に配置されるバックシャーシと前記バックシャーシの前記ディスプレイ側の面に取り付けられ取付突部が設けられた取付フレームとを有する後側ユニットとを備え、前記前側ユニットを前記後側ユニットに突き合わせ前記前側ユニットを前記後側ユニットに対して前記表示面の面方向へスライドさせることにより前記被取付突部が前記取付突部に係合されて前記前側ユニットと前記後側ユニットが結合されるようにしている。
【００２２】
従って、前側ユニットの後側ユニットへの結合作業が容易であり、表示装置の組立作業における作業性の向上を図ることができる。
【００２３】
本技術の一実施の形態にあっては、前記ベゼルが弾性変形可能とされ、前記ベゼルに係止突部が設けられ、前記取付フレームに脱落防止突部が設けられ、前記前側ユニットが前記後側ユニットに対してスライドされたときに、前記係止突部が前記脱落防止突部に摺動されて前記ベゼルが弾性変形され、前記係止突部が前記脱落防止突部を乗り越えることにより前記ベゼルが弾性復帰されて前記係止突部が前記脱落防止突部に係止されるようにしている。
【００２４】
従って、前側ユニットの後側ユニットに対する安定した結合状態を簡単な作業により行うことができる。
【００２５】
本技術の一実施の形態にあっては、前記ディスプレイに入射されるバックライトとしての光を出射する光源が設けられ、前記バックシャーシと前記ディスプレイの間に前記光源から出射された光を制御する光制御板が配置され、前記バックシャーシに保持部材が取り付けられ、前記保持部材に、前記バックシャーシに取り付けられたベース部と前記ベース部に連続され弾性変形可能な保持部とが設けられ、前記光制御板の少なくとも一部が前記保持部に保持され温度変化による前記光制御板の膨張又は収縮に応じて前記保持部が弾性変形されるようにしている。
【００２６】
従って、光制御板に対して温度変化によって生じる膨張又は収縮に伴う負荷が付与されることがなく、簡単な構造で光制御板の安定した保持状態を確保することができると共に光制御板の反りの発生を防止することができる。
【００２７】
本技術の一実施の形態にあっては、前記光制御板の一部の角部が前記光制御板の面方向において受けられる受け部材が設けられ、前記光制御板の他の角部が前記保持部に保持されている。
【００２８】
従って、光制御板の変位方向が少なく、光制御板の他の部品に対する位置の変化を小さくすることができる。
【００２９】
本技術の一実施の形態にあっては、前記ディスプレイに入射されるバックライトとしての光を出射する光源を有する光源ユニットが設けられ、前記バックシャーシに取り付けられ前記光源の駆動時に発生する熱を放出する放熱部材が設けられ、前記放熱部材に前記光源ユニットが配置され、前記取付フレームに前記放熱部材の位置決めを行う位置決め部が設けられている。
【００３０】
従って、放熱部材が取付フレームによって位置決めされることにより光源の上下方向における位置が定められるため、光源を簡単な構造により所定の位置に確実に位置決めすることができる。
【００３１】
本技術の一実施の形態にあっては、前記ディスプレイと前記バックシャーシの間に光学シートを有し挿入孔が形成された光学体が配置され、前記取付フレームに係合される第１の係合突部と前記挿入孔に挿入される第２の係合突部とを有するシート保持部材が設けられ、前記第２の係合突部が前記挿入孔に挿入された状態で前記第１の係合突部と前記第２の係合突部が前記取付フレームに係合されて前記シート保持部材が前記取付フレームに結合され前記光学体が保持されるようにしている。
【００３２】
従って、簡単な作業により光学体を所定の位置に確実に保持することができる。
【００３３】
本技術の一実施の形態にあっては、前記シート保持部材に前記光学体を押さえて前記取付フレームに押し付ける押さえ面部が設けられている。
【００３４】
従って、シート保持部材が取付フレームに結合されたときに光学体が確実に取付フレームに押し付けられ、光学体の保持状態の安定化を図ることができる。
【図面の簡単な説明】
【００３５】
【図１】図２乃至図３０と共に本技術の一実施の形態に係る表示装置を示すものであり、本図は、表示装置の斜視図である。
【図２】表示装置の一部を示す分解斜視図である。
【図３】表示装置の上端側を示す拡大断面図である。
【図４】表示装置の下端側の一部を示す拡大断面図である。
【図５】バックシャーシとバックシャーシに取り付けられた取付フレームとを示す正面図である。
【図６】バックシャーシに放熱部材が取り付けられた状態を示す正面図である。
【図７】放熱部材の斜視図である。
【図８】バックシャーシに結合用部材と放熱部材が取り付けられた状態を示す斜視図である。
【図９】受け部材に導光板とバックシャーシが受けられた状態を示す斜視図である。
【図１０】取付フレームの位置決め部に放熱部材が位置決めされた状態を示す斜視図である。
【図１１】バックシャーシと取付フレームを示す斜視図である。
【図１２】取付フレームの脱落防止突部にベゼルの係止突部が係止された状態を受け部材を省略して示す斜視図である。
【図１３】バックシャーシの後面側においてソース基板と中継基板が接続された状態を示す斜視図である。
【図１４】放熱部材と受け部材と押さえ部材を示す分解斜視図である。
【図１５】放熱部材に押さえ部材が取り付けられた状態を示す斜視図である。
【図１６】導光板が保持部材に保持された状態を示す斜視図である。
【図１７】保持部材の拡大斜視図である。
【図１８】光学体が取付フレームに取り付けられる前の状態を示す分解斜視図である。
【図１９】光学体が取付フレームに取り付けられた状態を示す斜視図である。
【図２０】光学体が取付フレームに取り付けられた状態を示す拡大断面図である。
【図２１】ベゼルの斜視図である。
【図２２】図２３乃至図２５と共に前側ユニットの後側ユニットへの結合作業の手順を示すものであり、本図は、ベゼルがバックシャーシに突き当てられた状態を一部を断面にして示す拡大側面図である。
【図２３】前側ユニットが後側ユニットに対してスライドされて両者が結合された状態を一部を断面にして示す拡大側面図である。
【図２４】ベゼルの係止突部が取付フレームの脱落防止突部に摺動されてベゼルが弾性変形されている状態を示す拡大断面図である。
【図２５】ベゼルの係止突部が取付フレームの脱落防止突部に係止された状態を示す拡大断面図である。
【図２６】結合用部材に遮蔽板が取り付けられた状態を示す斜視図である。
【図２７】結合用部材に遮蔽板が取り付けられた状態を示す拡大斜視図である。
【図２８】遮蔽板にボトムフレームが取り付けられた状態を受け部材を省略して示す拡大斜視図である。
【図２９】結合用部材にリアフレームが取り付けられた状態を示す斜視図である。
【図３０】リアフレームにリアカバーが取り付けられた状態を示す斜視図である。
【発明を実施するための形態】
【００３６】
以下に、本技術の一実施の形態に係る表示装置を実施するための形態を添付図面に従って説明する。
【００３７】
以下に示した実施の形態は、本技術の一実施の形態に係る表示装置を、ディスプレイに画像を表示するテレビジョン受像器に適用したものである。
【００３８】
尚、本技術の適用範囲はテレビジョン受像器に限られることはなく、パーソナルコンピューター等に用いられるモニター等の各種の表示装置に広く適用することができる。
【００３９】
［表示装置の構成］
表示装置（テレビジョン受像器）１は、例えば、横長の扁平な略矩形状に形成され、画像が表示されるディスプレイ２とディスプレイ２の後方に配置されたバックシャーシ３とディスプレイ２及びバックシャーシ３の外周側に配置されたベゼル４とを有している（図１乃至図４参照）。
【００４０】
ディスプレイ２は前後方向を向く板状に形成され、例えば、図３及び図４に示すように、前後に接合されたガラス板２ａ、２ｂとガラス板２ａの前面に貼り付けられた第１の偏光シート２ｃとガラス板２ｂの後面に貼り付けられた第２の偏光シート２ｄとによって構成されている。第１の偏光シート２ｃはガラス板２ａより一回り小さくされ、ガラス板２ａの外周部以外の部分に貼り付けられている。第２の偏光シート２ｄは第１の偏光シート２ｃより一回り小さくされ、ガラス板２ｂの外周部以外の部分に貼り付けられている。ガラス板２ｂはガラス板２ａより上下方向における長さが稍長くされており、ガラス板２ｂの下端がガラス板２ａの下端より下方に位置されている。
【００４１】
ディスプレイ２は前面のうち第１の偏光シート２ｃの外周部を除く領域が、画像が表示される表示面２ｅとされている。
【００４２】
バックシャーシ３は、例えば、ガラスによって平板状に形成されている。バックシャーシ３として平板状のガラスが用いられることにより、バックシャーシ３を薄く形成した場合においても高い強度が確保され、表示装置１の強度の向上及び薄型化を図ることができる。
【００４３】
バックシャーシ３の下方側の部分には軸挿通孔３ａ、３ａ、・・・が形成されている（図５参照）。バックシャーシ３の下方側の部分には放熱部材５が取り付けられている（図６参照）。
【００４４】
放熱部材５は、図７に示すように、横長の前後方向を向く放熱面部６と放熱面部６の下端部から斜め下方へ突出された斜面部７と斜面部７の下端部から下方へ突出された連結面部８と連結面部８の下端部から前方へ突出された搭載面部９とが金属材料によって一体に形成されて成る。搭載面部９には左右両端部に結合孔９ａ、９ａが形成されている。搭載面部９は左右両端部が放熱面部６より側方（外方）へ突出されている。
【００４５】
放熱部材５の放熱面部６には後方へ突出された固定用ボス６ａ、６ａ、・・・が設けられている。放熱部材５は固定用ボス６ａ、６ａ、・・・がそれぞれバックシャーシ３の軸挿通孔３ａ、３ａ、・・・に前側から挿入されてバックシャーシ３に結合される。
【００４６】
バックシャーシ３の後面における下方側の部分には結合用部材１０、１０、・・・が左右に離隔して取り付けられている（図８参照）。結合用部材１０には前方及び少なくとも下方に開口された浅い挿入用凹部１０ａと前後に貫通されたネジ挿通孔とが形成されている。結合用部材１０、１０、・・・のネジ挿通孔にはそれぞれ取付ネジが挿通され、これらの取付ネジがそれぞれ固定用ボス６ａ、６ａ、・・・に螺合されて放熱部材５がバックシャーシ３に固定されている。放熱部材５がバックシャーシ３に固定された状態においては、放熱面部６の下端部と斜面部７と連結面部８と搭載面部９がバックシャーシ３の下方に位置されている。
【００４７】
搭載面部９の上面には光源ユニット１１が取り付けられている（図４、図９及び図１０参照）。光源ユニット１１は横長の基板１２と基板１２上に左右に離隔して搭載された光源１３、１３、・・・とを有している。光源１３としては、例えば、発光ダイオード（ＬＥＤ: Light Emitting Diode）が用いられている。基板１２の長手方向における一端部にはコネクター１４が接続されている。
【００４８】
バックシャーシ３の前面における上端部には横長の第１の取付フレーム１５が接着等によって取り付けられている（図１１参照）。第１の取付フレーム１５は前後方向を向く被取付面部１６と被取付面部１６の上端部から前方へ突出された突面部１７とから成り、被取付面部１６がバックシャーシ３に取り付けられている。突面部１７には前後方向における中央部から上方へ突出された取付突部１７ａ、１７ａ、・・・が左右に離隔して設けられている。
【００４９】
バックシャーシ３の前面における左右両端部にはそれぞれ縦長の第２の取付フレーム１８が接着等によって取り付けられている。第２の取付フレーム１８は前後方向を向く被取付面部１９と被取付面部１９の外端部（側端部）から前方へ突出された突面部２０とから成り、被取付面部１９がバックシャーシ３に取り付けられている。突面部２０には前後方向における中央部から外方（側方）へ突出された取付突部２０ａ、２０ａ、・・・が上下に離隔して設けられている。第２の取付フレーム１８は、図４及び図１２に示すように、下端部が二つの部分に分離され、各分離された部分に前方に折り曲げられて形成された位置決め部２０ｂと外方（側方）に折り曲げられて形成された脱落防止突部２０ｃとが設けられている。
【００５０】
第２の取付フレーム１８、１８の位置決め部２０ｂ、２０ｂには放熱部材５における搭載面部９の左右両端部が受けられ、第２の取付フレーム１８、１８によって放熱部材５のバックシャーシ３に対する上下方向における位置決めが行われる。放熱部材５が第２の取付フレーム１８、１８の位置決め部２０ｂ、２０ｂによって位置決めされることにより、搭載面部９上に配置された光源ユニット１１の光源１３、１３、・・・に関する上下方向における位置が定められる。
【００５１】
このように放熱部材５が第２の取付フレーム１８、１８によって位置決めされることにより光源１３、１３、・・・の上下方向における位置が定められるため、光源１３、１３、・・・を簡単な構造により所定の位置に確実に位置決めすることができる。
【００５２】
バックシャーシ３の後面における下端部には、左右方向における中央部に中継基板２１が取り付けられている（図１３参照）。
【００５３】
ディスプレイ２の下端部にはソース基板２２、２２が左右に並んで接続されている（図４参照）。ソース基板２２は、図４及び図１３に示すように、横長の駆動回路部２２ａと、駆動回路部２２ａとディスプレイ２の下端部とを接続し左右に離隔して設けられた接続部２２ｂ、２２ｂ、・・・と、駆動回路部２２ａの長手方向における一端部に接続された中継部２２ｃとから成る。接続部２２ｂ、２２ｂ、・・・と中継部２２ｃとしてはそれぞれフレキシブルプリント配線板が用いられている。
【００５４】
ソース基板２２は接続部２２ｂ、２２ｂ、・・・が屈曲されてバックシャーシ３の下方に回り込んだ状態とされ、駆動回路部２２ａがバックシャーシ３の下端部の後面に前後方向を向いた状態で位置されている。ソース基板２２は中継部２２ｃが中継基板２１に接続されている。
【００５５】
放熱部材５における搭載面部９の左右両端部にはそれぞれ受け部材２３、２３が取り付けられている（図４参照）。受け部材２３は、図１４に示すように、略上下方向を向く受け面部２４と受け面部２４の前端側の部分から上方へ突出された受け突部２５と受け面部２４の後端側の部分から上方へ突出された突状部２６とを有し、突状部２６は上下に長く形成されている。
【００５６】
受け面部２４の上面は第１の受け面２４ａとして形成されている。
【００５７】
受け突部２５の上面は第２の受け面２５ａとして形成されている。受け突部２５には内方（側方）に開口された取付用切欠２５ｂが形成されている。
【００５８】
突状部２６の上面は第３の受け面２６ａとして形成されている。
【００５９】
受け部材２３、２３は取付用切欠２５ｂ、２５ｂに搭載面部９の左右両端部が嵌合されて放熱部材５に取り付けられる。受け部材２３が放熱部材５に取り付けられた状態においては、図９に示すように、受け突部２５の外側に第２の取付フレーム１８の脱落防止突部２０ｃが位置され、突状部２６が第２の取付フレーム１８の下端部の後側に位置される。
【００６０】
受け部材２３の第１の受け面２４ａにはディスプレイ２のガラス板２ｂが載置され、受け部材２３によってディスプレイ２が受けられて保持される。受け部材２３の第２の受け面２５ａには後述する導光板が載置され、受け部材２３によって導光板が受けられて保持される。受け部材２３の第３の受け面２６ａにはバックシャーシ３が載置され、受け部材２３によってバックシャーシ３が受けられて保持される。
【００６１】
放熱部材５には押さえ部材２７が取り付けられている（図１４及び図１５参照）。押さえ部材２７は横長の形状に形成され、前後方向を向く押さえ面部２８と押さえ面部２８の下端部から前方へ突出された突部２９、２９、・・・と押さえ面部２８の下端寄りの位置から後方へ突出された結合面部３０とを有している。
【００６２】
押さえ面部２８の略上半部には後方へ突出された押さえ突部２８ａが設けられている。
【００６３】
結合面部３０の左右両端部にはそれぞれ上方へ突出された結合用突部３０ａ、３０ａが左右に離隔して設けられている。結合面部３０の左右両端部には配置用切欠３０ｂ、３０ｂが形成されている。
【００６４】
押さえ部材２７は結合用突部３０ａ、３０ａがそれぞれ搭載面部９の結合孔９ａ、９ａに嵌合されて放熱部材５に取り付けられている。押さえ部材２７が放熱部材５に取り付けられた状態においては、配置用切欠３０ｂ、３０ｂにそれぞれ第２の取付フレーム１８、１８の位置決め部２０ｂ、２０ｂが位置される。押さえ突部２８ａは後述する光学体の下端部における直ぐ前側に位置され、押さえ突部２８ａによって光学体が前方から押さえられる。
【００６５】
バックシャーシ３の前面には第１の取付フレーム１５と第２の取付フレーム１８、１８の内側の位置に反射板３１が取り付けられている（図３参照）。
【００６６】
バックシャーシ３の前面には、上端寄りの位置における左右両端寄りの位置にそれぞれ保持部材３２、３２が取り付けられている（図１６参照）。保持部材３２は、図１６及び図１７に示すように、バックシャーシ３に接着等により取り付けられたベース部３３とベース部３３に連続され弾性変形可能な保持部３４とがゴム材料等によって一体に形成されて成る。
【００６７】
ベース部３３は平板状に形成されている。
【００６８】
保持部３４はベース部３３と略同じ形状及び大きさに形成された保持面部３４ａと保持面部３４ａの外周部の一部から前方へ突出された押さえ部３４ｂとから成り、押さえ部３４ｂがくの字状に屈曲された形状に形成されている。保持部３４は保持面部３４ａがベース部３３に連続されている。
【００６９】
バックシャーシ３とディスプレイ２の間には光制御板として機能する導光板３５が配置されている（図３及び図４参照）。導光板３５はアクリル等の樹脂材料によって横長の矩形状に形成され、上記したように、受け部材２３の第２の受け面２５ａに載置され、受け部材２３によって保持され、後面が反射板３１の前面に当接又は近接されている。
【００７０】
導光板３５の上面と左右両側面にはそれぞれ反射シート３６、３６、３６が貼付されている（図９、図１５及び図１６参照）。反射シート３６、３６、３６によって導光板３５の上面と左右両側面からの漏れ光の発生が防止される。
【００７１】
導光板３５は光源ユニット１１の光源１３、１３、・・・の真上に位置され、下面が光源１３、１３、・・・に対向して位置されている（図４参照）。
【００７２】
導光板３５は右上の角部３５ａと左上の角部３５ａとがそれぞれ保持部材３２、３２の保持部３４、３４によって保持されている（図１６参照）。即ち、導光板３５は角部３５ａ、３５ａの後面がそれぞれ保持面部３４ａ、３４ａの前面に接し角部３５ａ、３５ａの上面と側面がそれぞれ保持部３４、３４の押さえ部３４ｂ、３４ｂの内面に接した状態で保持部３４、３４に保持されている。
【００７３】
このように導光板３５が弾性変形可能な保持部３４、３４を有する保持部材３２、３２によって保持されることにより、表示装置１の使用時に表示装置１の内部温度の変化により導光板３５が膨張又は収縮されたときに、この膨張又は収縮に伴って保持部３４、３４が弾性変形され、保持部材３２、３２による導光板３５の保持状態が維持される。
【００７４】
従って、導光板３５に対して温度変化によって生じる膨張又は収縮に伴う負荷が付与されることがなく、簡単な構造で導光板３５の安定した保持状態を確保することができると共に導光板３５の反りの発生を防止することができる。
【００７５】
また、導光板３５の一部、即ち、下側の角部３５ａ、３５ａが導光板３５の面方向において受け部材２３、２３によって受けられ、保持部３４、３４にそれぞれ導光板３５の他の、即ち、上側の角部３５ａ、３５ａが保持されることにより、受け部材２３、２３の第２の受け面２５ａ、２５ａが基準位置とされて導光板３５の膨張又は収縮が生じるため、導光板３５が下方へ変位されることがなく温度変化が生じたときに導光板３５の変位方向が少ない。
【００７６】
従って、導光板３５の他の部品に対する位置の変化を小さくすることができる。特に、上記したように、導光板３５の下側の角部３５ａ、３５ａが受け部材２３、２３によって受けられるようにすることにより、導光板３５の下面である入射面３５ｂと光源１３、１３、・・・の距離が変化することがなく、温度変化によらず光源１３、１３、・・・から出射された光の導光板３５に対する適正な入射状態を確保することができる。
【００７７】
尚、上記には、光制御板として用いられた導光板３５が保持部材３２、３２によって保持される例を示したが、保持部材３２、３２は、バックシャーシの前側に光源を有し光制御板として拡散板が用いられる表示装置にも適用することが可能であり、この場合には保持部材３２、３２によって拡散板が保持される。
【００７８】
ディスプレイ２とバックシャーシ３の間には、光学体３７が導光板３５の前面に接した状態で配置されている（図３及び図４参照）。光学体３７は各種の光学シート等が前後方向において積層されて構成されている。光学体３７は、例えば、偏光性シート、プリズムシート、拡散シート、反射シート等が積層されて構成されている。
【００７９】
光学体３７の上端部には上方へ突出された被取付片３８、３８、・・・が左右に離隔して設けられている（図１８参照）。被取付片３８には横長の挿入孔３８ａ、３８ａが左右に離隔して形成されている。
【００８０】
光学体３７はシート保持部材３９、３９、・・・に押さえられて導光板３５の前面に接した状態で配置される（図１９及び図２０参照）。
【００８１】
シート保持部材３９は、横長の前後方向を向く押さえ面部３９ａと、押さえ面部３９ａの上端部における左右両端部からそれぞれ後方へ突出された第１の係合突部３９ｂ、３９ｂと、押さえ面部３９ａの上端部における第１の係合突部３９ｂ、３９ｂの間からそれぞれ後方へ突出された第２の係合突部３９ｃ、３９ｃと、押さえ面部３９ａの上端部から上方へ突出され第２の係合突部３９ｃ、３９ｃの間に位置された押さえ片部３９ｄとが一体に形成されて成る。第１の係合突部３９ｂ、３９ｂは上下方向において弾性変形可能とされている。
【００８２】
シート保持部材３９は第２の係合突部３９ｃ、３９ｃが被取付片３８の挿入孔３８ａ、３８ａにそれぞれ挿入され、第１の係合突部３９ｂ、３９ｂと第２の係合突部３９ｃ、３９ｃが第１の取付フレーム１５の突面部１７に係合され突面部１７を上下で挟持することにより第１の取付フレーム１５に結合される。このとき第１の係合突部３９ｂ、３９ｂが上下方向において弾性変形され、シート保持部材３９の第１の取付フレーム１５に対する安定した取付状態が確保される。
【００８３】
シート保持部材３９が第１の取付フレーム１５に取り付けられた状態においては、光学体３７の上端部と被取付片３８がそれぞれ押さえ面部３９ａと押さえ片部３９ｄによって前方から突面部１７の前面に押し付けられることにより、光学体３７がシート保持部材３９に押さえられて導光板３５の前面に接した状態で配置される。
【００８４】
上記のように、第２の係合突部３９ｃ、３９ｃがそれぞれ挿入孔３８ａ、３８ａに挿入された状態で第１の係合突部３９ｂ、３９ｂと第２の係合突部３９ｃ、３９ｃが第１の取付フレーム１５に係合されてシート保持部材３９が第１の取付フレーム１５に結合され光学体３７が保持される。
【００８５】
従って、シート保持部材３９が第１の取付フレーム１５に結合されることにより光学体３７が所定の位置に保持されるため、簡単な作業により光学体３７を所定の位置に確実に保持することができる。
【００８６】
また、シート保持部材３９には光学体３７を押さえて第１の取付フレーム１５に押し付ける押さえ面部３９ａが設けられているため、シート保持部材３９が第１の取付フレーム１５に結合されたときに光学体３７が確実に第１の取付フレーム１５に押し付けられ、光学体３７の保持状態の安定化を図ることができる。
【００８７】
尚、上記には、光学体３７の被取付片３８に形成された二つの挿入孔３８ａ、３８ａにそれぞれ第２の係合突部３９ｃ、３９ｃが挿入される例を示したが、例えば、被取付片３８に左右に長い一つの挿入孔を形成し、この一つの挿入孔に二つの第２の係合突部３９ｃ、３９ｃが挿入されるように構成されていてもよい。
【００８８】
ベゼル４は左右に延びる水平部４０と水平部４０の左右両端部からそれぞれ下方へ突出された垂直部４１、４１とが一体に形成されて成る（図３及び図２１参照）。
【００８９】
水平部４０は上下方向を向くベース面部４２とベース面部４２の前後方向における中間部から下方へ突出された座面部４３とベース面部４２の後端部から下方へ突出された被取付突部４４とを有している。
【００９０】
垂直部４１は左右方向を向くベース面部４５とベース面部４５の前後方向における中間部から内方（側方）へ突出された座面部４６とベース面部４５の後端部から内方へ突出された被取付突部４７、４７、・・・とを有している。被取付突部４７、４７、・・・は上下に離隔して設けられている。
【００９１】
垂直部４１の下端部には内方（側方）へ突出された係止突部４８が設けられている。係止突部４８は上方へ行くに従って内方へ変位するように傾斜された摺動面４８ａと摺動面４８ａの上端に連続され上方を向く係止面４８ｂとを有している。
【００９２】
ベゼル４の座面部４３、４６、４６の前面にはそれぞれ接着等によりクッション４９、４９、４９が貼付されている（図３参照）。クッション４９としては、例えば、マイクロセルポリマーシートが用いられている。
【００９３】
クッション４９、４９、４９の前面にはディスプレイ２の上端部及び左右両端部がそれぞれ接着により接合され、ディスプレイ２がクッション４９、４９、４９を介してベゼル４に取り付けられる。
【００９４】
このようにディスプレイ２がクッション４９、４９、４９を介してベゼル４に取り付けられることにより、ディスプレイ２とベゼル４を有する前側ユニット５０が構成される。
【００９５】
前側ユニット５０は後側ユニット５１に結合され、後側ユニット５１は、上記したバックシャーシ３とバックシャーシ３に取り付けられた第１の取付フレーム１５及び第２の取付フレーム１８、１８とを有している。
【００９６】
前側ユニット５０の後側ユニット５１に対する結合は、以下のようにして行われる（図２２乃至図２５参照）。
【００９７】
先ず、バックシャーシ３の前側に、上記したように導光板３５と光学体３７が配置された状態において、前側から前側ユニット５０が後側ユニット５１に対して配置される（図２２参照）。このとき前側ユニット５０のベゼル４は、水平部４０の被取付突部４４が第１の取付フレーム１５の取付突部１７ａ、１７ａ、・・・の直ぐ上側においてバックシャーシ３の上端部の前面に突き当てられ、垂直部４１、４１の被取付突部４７、４７、・・・がそれぞれ第２の取付フレーム１８、１８の取付突部２０ａ、２０ａ、・・・の直ぐ上側においてバックシャーシ３の左右両端部の前面に突き当てられる。
【００９８】
次に、前側ユニット５０が後側ユニット５１に対して下方へスライドされる（図２３参照）。前側ユニット５０が後側ユニット５１に対して下方へスライドされると、水平部４０の被取付突部４４が第１の取付フレーム１５の取付突部１７ａ、１７ａ、・・・とバックシャーシ３の前面との間に挿入されて嵌合され、被取付突部４４が取付突部１７ａ、１７ａ、・・・に係合される。同時に、垂直部４１、４１の被取付突部４７、４７、・・・がそれぞれ第２の取付フレーム１８、１８の取付突部２０ａ、２０ａ、・・・とバックシャーシ３の前面との間に挿入されて嵌合され、被取付突部４７、４７、・・・がそれぞれ取付突部２０ａ、２０ａ、・・・に係合される。
【００９９】
このように前側ユニット５０が後側ユニット５１に対して下方へスライドされ、被取付突部４４が取付突部１７ａ、１７ａ、・・・に係合され、被取付突部４７、４７、・・・がそれぞれ取付突部２０ａ、２０ａ、・・・に係合されることにより、前側ユニット５０が後側ユニット５１に結合される。
【０１００】
このとき同時に、図２４に示すように、垂直部４１、４１の下端部に設けられた係止突部４８、４８の摺動面４８ａ、４８ａがそれぞれ第２の取付フレーム１８、１８の脱落防止突部２０ｃ、２０ｃに摺動されて垂直部４１、４１が弾性変形され、係止突部４８、４８が脱落防止突部２０ｃ、２０ｃを乗り越えることにより垂直部４１、４１が弾性復帰されて係止突部４８、４８の係止面４８ｂ、４８ｂがそれぞれ脱落防止突部２０ｃ、２０ｃに係止される（図２５参照）。
【０１０１】
このように係止突部４８、４８の係止面４８ｂ、４８ｂがそれぞれ脱落防止突部２０ｃ、２０ｃに係止されることにより、前側ユニット５０の後側ユニット５１からの脱落が防止される。
【０１０２】
上記したように、前側ユニット５０はスライドされて垂直部４１、４１が弾性変形及び弾性復帰されて係止面４８ｂ、４８ｂがそれぞれ脱落防止突部２０ｃ、２０ｃに係止されることにより後側ユニット５１からの脱落が防止されるため、前側ユニット５０の後側ユニット５１に対する安定した結合状態を簡単な作業により行うことができる。
【０１０３】
バックシャーシ３の後面に取り付けられた結合用部材１０、１０、・・・には遮蔽板５２、５２が左右に並んで取り付けられる（図２、図４、図２６及び図２７参照）。遮蔽板５２は左右に延びる形状に形成され前方に開口された浅い凹部を有する遮蔽部５３と遮蔽部５３の下端部から前方へ突出された下受け部５４と遮蔽部５３から上方へ突出された結合片部５５、５５、５５とを有している。
【０１０４】
遮蔽部５３には結合部５３ａ、５３ａ、５３ａが左右に離隔して設けられている。
【０１０５】
結合片部５５、５５、５５は左右に離隔して設けられている。
【０１０６】
遮蔽板５２は遮蔽部５３がバックシャーシ３の下端部における後面に位置されたソース基板２２の駆動回路部２２ａを後方から覆うように配置され、結合片部５５、５５、５５がそれぞれ結合用部材１０、１０、１０の挿入用凹部１０ａ、１０ａ、１０ａにそれぞれ下方から挿入されてネジ止めにより結合用部材１０、１０、１０に取り付けられる（図２６及び図２７参照）。遮蔽板５２、５２の下受け部５４、５４はそれぞれ受け部材２３、２３の下側に位置され、受け部材２３、２３が下受け部５４、５４によって受けられる（図４参照）。
【０１０７】
遮蔽板５２、５２にはボトムフレーム５６が取り付けられる（図２、図４及び図２８参照）。ボトムフレーム５６は横長の形状に形成され、前後方向を向く前面部５６ａと前面部５６ａの下端部から後方へ突出された下面部５６ｂと下面部５６ｂの後端部から上方へ突出された後面部５６ｃとを有している。
【０１０８】
ボトムフレーム５６は後面部５６ｃが遮蔽板５２、５２の結合部５３ａ、５３ａ、・・・にネジ止め等によって取り付けられる（図２８参照）。ボトムフレーム５６が遮蔽板５２、５２に取り付けられた状態においては、図４に示すように、前面部５６ａがディスプレイ２の下端部における前側に位置され、下面部５６ｂが押さえ部材２７の突部２９、２９、・・・の下側及び遮蔽板５２、５２の下受け部５４、５４の下側に位置される。ディスプレイ２は下端部が前面部５６ａによって前側から押さえられ、押さえ部材２７の突部２９、２９、・・・と遮蔽板５２、５２の下受け部５４、５４とが下面部５６ｂによって下側から押さえられ、これらの各部材の安定した取付状態が確保される。
【０１０９】
バックシャーシ３の後面における下端側にはリアフレームが５７が配置され（図２及び図２９参照）、リアフレーム５７は結合用部材１０、１０、・・・にネジ止め等によって取り付けられる。
【０１１０】
リアフレーム５７は左右に連続した三つの枠状に形成された枠部５７ａと枠部５７ａの下端部からそれぞれ左右に突出された突面部５７ｂ、５７ｂとから成る。リアフレーム５７が結合用部材１０、１０、・・・に取り付けられた状態においては、枠部５７ａの内側に、バックシャーシ３の後面に取り付けられた中継基板２１が露出された状態で位置される。
【０１１１】
リアフレーム５７にはリアカバー５８が取り付けられる（図３０参照）。リアカバー５８の内部には図示しない制御回路基板が配置されている。
【０１１２】
リアカバー５８がリアフレーム５７に取り付けられるときには、制御回路基板がコネクター１４と中継基板２１に図示しない接続基板によって接続される。従って、制御回路基板からコネクター１４又は中継基板２１を介してソース基板２２や光源１３、１３、・・・に電流や信号が供給され、光源１３、１３、・・・からの光の出射やディスプレイ２に対する表示制御が行われる。
【０１１３】
光源１３、１３、・・・から出射された光は入射面３５ｂから導光板３５に入射され、導光板３５の内部を導かれて前方へ出射される。このとき導光板３５に入射された光の一部が反射板３１及び反射シート３６、３６、・・・によって反射され、前方へ出射される。導光板３５から前方へ出射された光は、光学体３７によって制御されてディスプレイ２にバックライトとして入射される。
【０１１４】
バックシャーシ３の下端部にはスタンド５９が取り付けられている（図１参照）。スタンド５９によって表示装置１の机上等に対する安定した設置状態が確保される。
【０１１５】
［まとめ］
以上に記載した通り、表示装置１にあっては、前側ユニット５０を後側ユニット５１に突き合わせ前側ユニット５０を後側ユニット５１に対して表示面２ｅの面方向である上下方向へスライドさせることにより、被取付突部４４が取付突部１７ａ、１７ａ、・・・に係合されると共に被取付突部４７、４７、・・・がそれぞれ取付突部２０ａ、２０ａ、・・・に係合されて前側ユニット５０が後側ユニット５１に結合される。
【０１１６】
従って、前側ユニット５０の後側ユニット５１への結合作業が容易であり、表示装置１の組立作業における作業性の向上を図ることができる。
【０１１７】
［本技術］
本技術は、以下のような構成にすることもできる。
【０１１８】
（１）
表示面に画像が表示されるディスプレイと前記ディスプレイを外周側から保持し被取付突部が設けられたベゼルとを有する前側ユニットと、
前記ディスプレイにおける前記表示面の反対の面側に配置されるバックシャーシと前記バックシャーシの前記ディスプレイ側の面に取り付けられ取付突部が設けられた取付フレームとを有する後側ユニットとを備え、
前記前側ユニットを前記後側ユニットに突き合わせ前記前側ユニットを前記後側ユニットに対して前記表示面の面方向へスライドさせることにより前記被取付突部が前記取付突部に係合されて前記前側ユニットと前記後側ユニットが結合されるようにした
表示装置。
【０１１９】
（２）
前記ベゼルが弾性変形可能とされ、
前記ベゼルに係止突部が設けられ、
前記取付フレームに脱落防止突部が設けられ、
前記前側ユニットが前記後側ユニットに対してスライドされたときに、前記係止突部が前記脱落防止突部に摺動されて前記ベゼルが弾性変形され、前記係止突部が前記脱落防止突部を乗り越えることにより前記ベゼルが弾性復帰されて前記係止突部が前記脱落防止突部に係止されるようにした
前記（１）に記載の表示装置。
【０１２０】
（３）
前記ディスプレイに入射されるバックライトとしての光を出射する光源が設けられ、
前記バックシャーシと前記ディスプレイの間に前記光源から出射された光を制御する光制御板が配置され、
前記バックシャーシに保持部材が取り付けられ、
前記保持部材に、前記バックシャーシに取り付けられたベース部と前記ベース部に連続され弾性変形可能な保持部とが設けられ、
前記光制御板の少なくとも一部が前記保持部に保持され温度変化による前記光制御板の膨張又は収縮に応じて前記保持部が弾性変形されるようにした
前記（１）又は前記（２）に記載の表示装置。
【０１２１】
（４）
前記光制御板の一部の角部が前記光制御板の面方向において受けられる受け部材が設けられ、
前記光制御板の他の角部が前記保持部に保持された
前記（３）に記載の表示装置。
【０１２２】
（５）
前記ディスプレイに入射されるバックライトとしての光を出射する光源を有する光源ユニットが設けられ、
前記バックシャーシに取り付けられ前記光源の駆動時に発生する熱を放出する放熱部材が設けられ、
前記放熱部材に前記光源ユニットが配置され、
前記取付フレームに前記放熱部材の位置決めを行う位置決め部が設けられた
前記（１）から前記（４）の何れかに記載の表示装置。
【０１２３】
（６）
前記ディスプレイと前記バックシャーシの間に光学シートを有し挿入孔が形成された光学体が配置され、
前記取付フレームに係合される第１の係合突部と前記挿入孔に挿入される第２の係合突部とを有するシート保持部材が設けられ、
前記第２の係合突部が前記挿入孔に挿入された状態で前記第１の係合突部と前記第２の係合突部が前記取付フレームに係合されて前記シート保持部材が前記取付フレームに結合され前記光学体が保持されるようにした
前記（１）から前記（５）の何れかに記載の表示装置。
【０１２４】
（７）
前記シート保持部材に前記光学体を押さえて前記取付フレームに押し付ける押さえ面部が設けられた
前記（６）に記載の表示装置。
【０１２５】
上記した技術を実施するための実施の形態において示した各部の具体的な形状及び構造は、何れも本技術を実施する際の具体化のほんの一例を示したものにすぎず、これらによって本技術の技術的範囲が限定的に解釈されることがあってはならないものである。
【０１２６】
本出願は、日本国特許庁において２０１２年１２月１４日に出願された日本特許出願番号２０１２−２７４０５７号を基礎として優先権を主張するものであり、この出願のすべての内容を参照によって本出願に援用する。
【０１２７】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2014091978.tif 000003
【図２】
2014091978.tif 000004
【図３】
2014091978.tif 000005
【図４】
2014091978.tif 000006
【図５】
2014091978.tif 000007
【図６】
2014091978.tif 000008
【図７】
2014091978.tif 000009
【図８】
2014091978.tif 000010
【図９】
2014091978.tif 000011
【図１０】
2014091978.tif 000012
【図１１】
2014091978.tif 000013
【図１２】
2014091978.tif 000014
【図１３】
2014091978.tif 000015
【図１４】
2014091978.tif 000016
【図１５】
2014091978.tif 000017
【図１６】
2014091978.tif 000018
【図１７】
2014091978.tif 000019
【図１８】
2014091978.tif 000020
【図１９】
2014091978.tif 000021
【図２０】
2014091978.tif 000022
【図２１】
2014091978.tif 000023
【図２２】
2014091978.tif 000024
【図２３】
2014091978.tif 000025
【図２４】
2014091978.tif 000026
【図２５】
2014091978.tif 000027
【図２６】
2014091978.tif 000028
【図２７】
2014091978.tif 000029
【図２８】
2014091978.tif 000030
【図２９】
2014091978.tif 000031
【図３０】
2014091978.tif 000032
【国際調査報告】
2014091978.tif 000033
2014091978.tif 000034
2014091978.tif 000035
2014091978.tif 000036